【手続補正書】
【提出日】平成20年2月12日(2008.2.12)
【手続補正１】
【補正対象書類名】特許請求の範囲
【補正対象項目名】全文
【補正方法】変更
【補正の内容】
【特許請求の範囲】
【請求項１】
流体を噴射する第１噴射口を具備する第１噴射管部と、
前記第１噴射口から噴射される流体が衝突して前記第１噴射口の周囲へ噴射されるよう前記第１噴射管部の中心軸線上に設けられた衝突体と、
前記第１噴射管部の外周部に粒体を噴射する第２噴射口を具備する第２噴射管部と、
を備え、
前記第１噴射口の先端部と前記第２噴射口の先端部とを同一平面上に設け、前記第１噴射口から噴射されて前記衝突体によって前記第１噴射口の周囲へ噴射される流体へ前記第２噴射口から噴射される粒体を噴射するよう構成した、
ことを特徴とする粒体噴射装置。
【請求項２】
前記第２噴射口からの粒体噴射方向において前記第２噴射口に対向する範囲外に前記衝突体を配置した、ことを特徴とする請求項１記載の粒体噴射装置。
【請求項３】
前記衝突体は前記第１噴射口から噴射される流体を前記第１噴射口の周囲へ均等に噴射させる、ことを特徴とする請求項１又は請求項２記載の粒体噴射装置。
【請求項４】
前記第２噴射管部は前記第２噴射口から粒体を前記第１噴射口の周囲へ均等に噴射する、ことを特徴とする請求項１乃至請求項３の何れか１項記載の粒体噴射装置。
【請求項５】
前記第２噴射管部は前記第２噴射口から粒体を前記第１噴射口の周囲全体において旋回させつつ噴射する、ことを特徴とする請求項１乃至請求項４の何れか１項記載の粒体噴射装置。
【請求項６】
前記第１噴射管部内に固定され、流体の通過を許可すると共に、前記衝突体を支持する支持部材を備えた、ことを特徴とする請求項１乃至請求項５の何れか１項記載の粒体噴射装置。
【請求項７】
前記第１噴射管部及び第２噴射管部に接続され、可撓性を有する可撓管を備えた、ことを特徴とする請求項１乃至請求項６の何れか１項記載の粒体噴射装置。
【手続補正２】
【補正対象書類名】明細書
【補正対象項目名】０００７
【補正方法】変更
【補正の内容】
【０００７】
本発明は、上記問題点を解決するためになされたもので、流体を噴射する第１噴射口の周囲へ粒体を噴射できる粒体噴射装置を提供することを目的とする。
【手続補正３】
【補正対象書類名】明細書
【補正対象項目名】０００８
【補正方法】変更
【補正の内容】
【０００８】
請求項１に記載の粒体噴射装置は、流体を噴射する第１噴射口を具備する第１噴射管部と、前記第１噴射口から噴射される流体が衝突して前記第１噴射口の周囲へ噴射されるよう前記第１噴射管部の中心軸線上に設けられた衝突体と、前記第１噴射管部の外周部に粒体を噴射する第２噴射口を具備する第２噴射管部と、を備え、前記第１噴射口の先端部と前記第２噴射口の先端部とを同一平面上に設け、前記第１噴射口から噴射されて前記衝突体によって前記第１噴射口の周囲へ噴射される流体へ前記第２噴射口から噴射される粒体を噴射するよう構成した、ことを特徴としている。
【手続補正４】
【補正対象書類名】明細書
【補正対象項目名】０００９
【補正方法】変更
【補正の内容】
【０００９】
請求項１に記載の粒体噴射装置では、第１噴射管部が流体を第１噴射口から噴射する。また、第１噴射口から噴射される流体が、衝突体に衝突して、第１噴射口の周囲へ噴射される。さらに、衝突体によって第１噴射口の周囲へ噴射される流体へ、第２噴射管部が第２噴射口から粒体を噴射する。このため、第１噴射口の周囲へ粒体を流体と共に噴射することができる。
【手続補正５】
【補正対象書類名】明細書
【補正対象項目名】００１０
【補正方法】変更
【補正の内容】
【００１０】
請求項２に記載の粒体噴射装置は、請求項１に記載の粒体噴射装置において、前記第２噴射口からの粒体噴射方向において前記第２噴射口に対向する範囲外に前記衝突体を配置した、ことを特徴としている。
【手続補正６】
【補正対象書類名】明細書
【補正対象項目名】００１１
【補正方法】変更
【補正の内容】
【００１１】
請求項２に記載の粒体噴射装置では、第２噴射口からの粒体噴射方向において第２噴射口に対向する範囲外に、衝突体が配置されている。このため、衝突体に粒体が衝突することを抑制できる。
【手続補正７】
【補正対象書類名】明細書
【補正対象項目名】００１２
【補正方法】変更
【補正の内容】
【００１２】
請求項３に記載の粒体噴射装置は、請求項１又は請求項２に記載の粒体噴射装置において、前記衝突体は前記第１噴射口から噴射される流体を前記第１噴射口の周囲へ均等に噴射させる、ことを特徴としている。
【手続補正８】
【補正対象書類名】明細書
【補正対象項目名】００１３
【補正方法】変更
【補正の内容】
【００１３】
請求項３に記載の粒体噴射装置では、衝突体が、第１噴射口から噴射される流体を、第１噴射口の周囲へ均等に噴射させる。このため、第１噴射口の周囲へ粒体を均等に噴射することを容易にすることができる。
【手続補正９】
【補正対象書類名】明細書
【補正対象項目名】００１４
【補正方法】変更
【補正の内容】
【００１４】
請求項４に記載の粒体噴射装置は、請求項１乃至請求項３の何れか１項に記載の粒体噴射装置において、前記第２噴射管部は前記第２噴射口から粒体を前記第１噴射口の周囲へ均等に噴射する、ことを特徴としている。
【手続補正１０】
【補正対象書類名】明細書
【補正対象項目名】００１５
【補正方法】変更
【補正の内容】
【００１５】
請求項４に記載の粒体噴射装置では、第２噴射管部が第２噴射口から粒体を第１噴射口の周囲へ均等に噴射する。このため、第１噴射口の周囲へ粒体を均等に噴射することを容易にすることができる。
【手続補正１１】
【補正対象書類名】明細書
【補正対象項目名】００１６
【補正方法】変更
【補正の内容】
【００１６】
請求項５に記載の粒体噴射装置は、請求項１乃至請求項４の何れか１項に記載の粒体噴射装置において、前記第２噴射管部は前記第２噴射口から粒体を前記第１噴射口の周囲全体において旋回させつつ噴射する、ことを特徴としている。
【手続補正１２】
【補正対象書類名】明細書
【補正対象項目名】００１７
【補正方法】変更
【補正の内容】
【００１７】
請求項５に記載の粒体噴射装置では、第２噴射管部が第２噴射口から粒体を第１噴射口の周囲全体において旋回させつつ噴射する。このため、粒体を第１噴射口の周囲へ均一に噴射することができる。
【手続補正１３】
【補正対象書類名】明細書
【補正対象項目名】００１８
【補正方法】変更
【補正の内容】
【００１８】
請求項６に記載の粒体噴射装置は、請求項１乃至請求項５の何れか１項に記載の粒体噴射装置において、前記第１噴射管部内に固定され、流体の通過を許可すると共に、前記衝突体を支持する支持部材を備えた、ことを特徴としている。
【手続補正１４】
【補正対象書類名】明細書
【補正対象項目名】００１９
【補正方法】変更
【補正の内容】
【００１９】
請求項６に記載の粒体噴射装置では、第１噴射管部内に固定された支持部材が、流体の通過を許可すると共に、衝突体を支持する。このため、支持部材が、第１噴射管部内での流体の通過を阻止することなく、衝突体を支持することができる。
【手続補正１５】
【補正対象書類名】明細書
【補正対象項目名】００２０
【補正方法】変更
【補正の内容】
【００２０】
請求項７に記載の粒体噴射装置は、請求項１乃至請求項６の何れか１項に記載の粒体噴射装置において、前記第１噴射管部及び第２噴射管部に接続され、可撓性を有する可撓管を備えた、ことを特徴としている。
【手続補正１６】
【補正対象書類名】明細書
【補正対象項目名】００２１
【補正方法】変更
【補正の内容】
【００２１】
請求項７に記載の粒体噴射装置では、第１噴射管部及び第２噴射管部に接続された可撓管が可撓性を有している。このため、第１噴射管部及び第２噴射管部を挿入する挿入経路が曲がっていても、挿入経路への第１噴射管部及び第２噴射管部の挿入を容易にすることができる。
【手続補正１７】
【補正対象書類名】明細書
【補正対象項目名】００２２
【補正方法】変更
【補正の内容】
【００２２】
以上説明したように本発明の粒体噴射装置によれば、流体を噴射する第１噴射口の周囲へ粒体を噴射できる、という効果が得られる。
【手続補正１８】
【補正対象書類名】明細書
【補正対象項目名】００２４
【補正方法】変更
【補正の内容】
【００２４】
本実施の形態に係るブラスト装置１０は、ノズル部１２を備えており、ノズル部１２には、第１噴射管部としての円管状の内管１４と、第２噴射管部としての円管状の外管１６と、が設けられている。内管１４及び外管１６は、先端を同一平面上に揃えられた状態で、同軸上に配置されており、内管１４内は断面円状の噴射経路１８にされると共に、内管１４と外管１６との間は断面円環状の供給経路２０にされている。さらに、内管１４の先端（噴射経路１８の先端）は、第１噴射口としての円状の噴射口２２にされると共に、内管１４と外管１６との先端間（供給経路２０の先端）は、第２噴射口としての円環状の供給口２４にされている。
【手続補正１９】
【補正対象書類名】明細書
【補正対象項目名】００６２
【補正方法】変更
【補正の内容】
【００６２】
ブラスト装置８０のノズル部１２では、外管１６に代えて、第２噴射管部としての円管状の外周管８２が所定数設けられている。所定数の外周管８２は、内管１４と平行に配置された状態で、内管１４の外周に内管１４の周方向へ等間隔に（好ましくは隙間なく）配置されており、所定数の外周管８２は、内管１４と先端を同一平面上に揃えられている。各外周管８２内は断面円状の供給経路８４にされると共に、各外周管８２の先端（各供給経路８４の先端）は、第２噴射口としての円状の供給口８６にされている。
【手続補正２０】
【補正対象書類名】明細書
【補正対象項目名】００７０
【補正方法】変更
【補正の内容】
【００７０】
１０    ブラスト装置（粒体噴射装置）
１４    内管（第１噴射管部）
１６    外管（第２噴射管部）
２２    噴射口（第１噴射口）
２４    供給口（第２噴射口）
２６    多孔板（支持部材）
２８    支持柱（支持部材）
３０    衝突板（衝突体）
３８    外チューブ（可撓管）
４６    内チューブ（可撓管）
６０    ブラスト装置（粒体噴射装置）
７０    ブラスト装置（粒体噴射装置）
７２    内管チューブ（可撓管）
７６    外管チューブ（可撓管）
８０    ブラスト装置（粒体噴射装置）
８２    外周管（第２噴射管部）
８６    供給口（第２噴射口）
９０    孔板（支持部材）